(57)【要約】【課題】経路探索を行ったユーザに対して、利便性が高いタイムテーブルの表示が可能な情報処理システム、情報処理装置、情報処理方法、および、情報処理プログラムを提供する。【解決手段】目的地までの経路を示す経路情報を取得する経路情報取得手段と、前記目的地に関連するタイムテーブルを示すタイムテーブル情報を取得するタイムテーブル情報取得手段と、前記経路と前記タイムテーブルとを連続的に出力する出力制御手段と、を備える情報処理システムが提供される。【選択図】図１
2017110911.tif 000002
【特許請求の範囲】
【請求項１】
目的地までの経路を示す経路情報を取得する経路情報取得手段と、
前記目的地に関連するタイムテーブルを示すタイムテーブル情報を取得するタイムテーブル情報取得手段と、
前記経路と前記タイムテーブルとを連続的に出力する出力制御手段と、を備える情報処理システム。
【請求項２】
前記目的地は、停留所、駅または施設であり、
前記タイムテーブル情報は、前記目的地である停留所、駅または施設のタイムテーブルを示す、請求項１に記載の情報処理システム。
【請求項３】
前記タイムテーブル情報は、前記目的地の近傍の停留所、駅または施設のタイムテーブルを示す、請求項１に記載の情報処理システム。
【請求項４】
前記経路情報は、ある事業者の移動手段を含み、
前記目的地に関連するタイムテーブルが複数ある場合、前記出力制御手段は、前記ある事業者に関連する停留所または駅のタイムテーブルを優先して出力制御する、請求項１乃至３のいずれかに記載の情報処理システム。
【請求項５】
前記経路情報は、前記目的地である停留所までバスで移動する経路を示し、
前記タイムテーブル情報取得手段は、前記目的地である停留所の周辺駅のタイムテーブルを示すタイムテーブル情報を取得する、請求項１に記載の情報処理システム。
【請求項６】
前記出力制御手段は、前記経路と前記タイムテーブルとが同一画面に含まれるように表示制御を行う、請求項１乃至５のいずれかに記載の情報処理システム。
【請求項７】
前記経路情報は、前記目的地の到着時刻を含み、
前記出力制御手段は、前記到着時刻に基づいて定まる前記タイムテーブルのうちの一部が前記同一画面に含まれるように表示制御を行う、請求項６に記載の情報処理システム。
【請求項８】
前記出力制御手段は、前記到着時刻以降のタイムテーブルが前記同一画面に含まれるように表示制御を行う、請求項７に記載の情報処理システム。
【請求項９】
前記タイムテーブル情報は、前記目的地に関連する停留所、駅または施設のタイムテーブルであり、
前記出力制御手段は、前記到着時刻と、前記目的地から前記目的地に関連する停留所、駅または施設への所要時間と、に基づいて定まる前記タイムテーブルのうちの一部が前記同一画面に含まれるように表示制御を行う、請求項７に記載の情報処理システム。
【請求項１０】
コンピュータを、
目的地までの経路を示す経路情報と、前記目的地に関連するタイムテーブルを示すタイムテーブル情報と、を含む出力情報を受信する情報受信手段と、
前記経路と前記タイムテーブルとを連続的に出力する出力制御手段と、として機能させる情報処理プログラム。
【請求項１１】
コンピュータを、
目的地までの経路を示す経路情報を取得する経路情報取得手段と、
前記目的地に関連するタイムテーブルを示すタイムテーブル情報を取得するタイムテーブル情報取得手段と、
前記経路と前記タイムテーブルとを連続的に出力する出力するための出力情報を生成する出力情報生成手段と、として機能させる情報処理プログラム。
【請求項１２】
通信可能に接続された複数のコンピュータによって構成される情報処理システムであって、
目的地までの経路を示す経路情報を取得する経路情報取得手段と、
前記目的地に関連するタイムテーブルを示すタイムテーブル情報を取得するタイムテーブル情報取得手段と、
前記経路と前記タイムテーブルとを連続的に出力する出力制御手段と、を備えた情報処理システムを機能させるために、
前記複数のコンピュータの少なくとも１つを上記手段の少なくとも１つとして機能させる情報処理プログラム。
【請求項１３】
通信可能に接続された複数のコンピュータによって、請求項１乃至８のいずれかに記載の情報処理システムを機能させるために、
前記複数のコンピュータのうちの１つを請求項１乃至８のいずれかに記載の情報処理システムにおける各手段の少なくとも１つとして機能させる情報処理プログラム。
【請求項１４】
コンピュータを、請求項１乃至８のいずれかに記載の情報処理システムにおける各手段の少なくとも１つとして機能させる情報処理プログラム。
【請求項１５】
通信可能に接続された複数の情報処理装置によって、
目的地までの経路を示す経路情報を取得する経路情報取得手段と、
前記目的地に関連するタイムテーブルを示すタイムテーブル情報を取得するタイムテーブル情報取得手段と、
前記経路と前記タイムテーブルとを連続的に出力する出力制御手段と、を備えた情報処理システムを構成するために、
上記手段の少なくとも１つを備える情報処理装置。
【請求項１６】
コンピュータを、
目的地までの経路を示す経路情報を取得する経路情報取得手段と、
前記目的地に関連するタイムテーブルを示すタイムテーブル情報を取得するタイムテーブル情報取得手段と、
前記経路と前記タイムテーブルとを連続的に出力する出力制御手段と、として機能させる情報処理プログラム。
【請求項１７】
目的地までの経路を示す経路情報を取得するステップと、
前記目的地に関連するタイムテーブルを示すタイムテーブル情報を取得するステップと、
前記経路と前記タイムテーブルとを連続的に出力するステップと、を備える情報処理方法。
【発明の詳細な説明】
【技術分野】
【０００１】
本発明は、情報処理システム、情報処理装置、情報処理方法、および、情報処理プログラムに関する。
【背景技術】
【０００２】
近年、種々の経路探索システムが提案されている。例えば特許文献１には、経路探索結果だけでなく、経路の出発駅や乗換駅に関連付けられた「時刻表」のリンクも表示される。「時刻表」のリンクが選択されると、その駅の時刻表が表示される。
【先行技術文献】
【特許文献】
【０００３】
【特許文献１】特開２００７−１１４０３０号公報
【発明の概要】
【発明が解決しようとする課題】
【０００４】
特許文献１に記載された経路探索システムでは、リンクが選択された後に、経路と時刻表とが別々の画面に表示される。そのため、リンクを選択するのが手間であるし、一覧性が悪く、ユーザにとって必ずしも利便性が高いとは言えないという問題がある。
【０００５】
本発明はこのような問題点に鑑みてなされたものであり、本発明の課題は、経路探索を行ったユーザに対して、利便性が高いタイムテーブルの出力が可能な情報処理システム、情報処理装置、情報処理方法、および、情報処理プログラムを提供することである。
【課題を解決するための手段】
【０００６】
本発明の一態様によれば、目的地までの経路を示す経路情報を取得する経路情報取得手段と、前記目的地に関連するタイムテーブルを示すタイムテーブル情報を取得するタイムテーブル情報取得手段と、前記経路と前記タイムテーブルとを連続的に出力する出力制御手段と、を備える情報処理システムが提供される。
【発明の効果】
【０００７】
経路とタイムテーブルとを連続的に出力するため、ユーザの利便性が向上する。
【図面の簡単な説明】
【０００８】
【図１】情報処理システムの概略構成を示すブロック図。
【図２】第１の実施形態におけるＰＯＩ情報データベース２２２の構造の一例を示す図。
【図３】情報処理システムの処理動作を示すフローチャート。
【図４】出力部１３に表示される画面の第１例を示す図。
【図５】出力部１３に表示される画面の第２例を示す図。
【図６】第２の実施形態におけるＰＯＩ情報データベース２２２の構造の一例を示す図。
【図７】出力部１３に表示される画面の第３例を示す図。
【図８】出力部１３に表示される画面の第４例を示す図。
【図９】出力部１３に表示される画面の第４例を示す図。
【発明を実施するための形態】
【０００９】
以下、本発明に係る実施形態について、図面を参照しながら具体的に説明する。
【００１０】
（第１の実施形態）
図１は、情報処理システムの概略構成を示すブロック図である。情報処理システムは端末装置１およびサーバ２から構成され、これらはネットワーク３を介して通信可能に接続されている。ネットワーク３は無線でもよいし有線でもよい。
【００１１】
端末装置１はユーザが使用するものであり、例えば携帯電話、スマートフォンもしくはタブレットなどのモバイル電子機器でもよいし、パーソナルコンピュータやカーナビゲーション装置などの据え置き型電子機器でもよい。
【００１２】
端末装置１は、通信部１１と、操作入力部１２と、出力部１３と、制御部１４とを有する。
【００１３】
通信部１１はネットワーク３を介して制御部１４とサーバ２との間で情報を送受信する通信インターフェースである。
【００１４】
操作入力部１２はユーザが端末装置１に操作を入力するための入力インターフェースであり、例えばモバイル電子機器におけるタッチパネルやマイク、据え置き型電子機器におけるキーボード、マウス、タッチパッドである。
【００１５】
出力部１３は端末装置１から各種情報をユーザに出力する出力インターフェースである。例えば、出力部１３はディスプレイであり、ユーザからの操作を受け付けるためのＧＵＩ（Graphical User Interface）や、種々の情報をユーザに表示する。また、後述するように、出力部１３は経路情報とタイムテーブルとを同一画面上に連続的に出力表示する。なお、出力部１３がディスプレイである例を主に示すが、出力部１３はスピーカであって音声でユーザに情報を出力してもよい。
【００１６】
制御部１４は、探索条件設定部１４１と、情報送信部１４２と、情報受信部１４３と、出力制御部１４４とを有する。これら各部は、端末装置１のプロセッサ（不図示）が所定のプログラムを実行することによって実現されてもよいし、ハードウェアで実装されてもよい。
【００１７】
探索条件設定部１４１は、経路探索をサーバ２に要求するために、出発地、目的地、出発予定時刻または到着目標時刻などの探索条件を設定する。以下では、主に目的地がバスの停留所である例を示すが、任意の地点とすることもできる。探索条件設定部１４１は、操作入力部１２を介してユーザからの入力を受け付けて探索条件を設定してもよいし、端末装置１の現在位置を出発地としたり、現在時刻を出発予定時刻としたりしてもよい。
【００１８】
情報送信部１４２は、通信部１１およびネットワーク３を介して、探索条件などの情報をサーバ２に送信する。
【００１９】
情報受信部１４３は、ネットワーク３および通信部１１を介して、出力部１３に表示される経路情報およびタイムテーブル情報を含む出力情報（後述）などをサーバ２から受信する。
【００２０】
出力制御部１４４は出力部１３に出力を行うための出力制御を行う。出力部１３がディスプレイである場合、出力制御部１４４は出力部１３に表示を行うための表示制御を行う。例えば、出力制御部１４４は、探索条件の設定時にはユーザからの探索条件設定を受けるためのＧＵＩを表示させたり、出力情報に基づいて所定の画面を表示させたりする。すなわち、出力制御部１４４は出力情報の一部または全部を表示させる。なお、出力部１３がスピーカである場合、出力制御部１４４は出力情報の一部または全部を、スピーカから再生させる。
【００２１】
一方、サーバ２は、通信部２１と、記憶部２２と、制御部２３とを有する。
【００２２】
通信部２１はネットワーク３を介して制御部２３と端末装置１との間で情報を送受信する通信インターフェースである。
【００２３】
記憶部２２は交通ネットワーク情報データベース２２１やＰＯＩ（Post of Interest）情報データベース２２２など種々のデータを記憶する。
交通ネットワーク情報は、道路網を規定する情報や、鉄道・バスなど交通機関の交通網を規定する情報である。交通網の情報としては、交通機関の路線情報、時刻表情報、料金情報などを含む。交通ネットワーク情報は経路探索に用いられる。
【００２４】
本実施形態におけるＰＯＩ情報は、バスの停留所（以下、単に停留所という）や電車の駅（以下、単に駅という）に関する情報を含んでいる。
【００２５】
図２は、第１の実施形態におけるＰＯＩ情報データベース２２２の構造の一例を示す図である。ＰＯＩ情報データベース２２２は、各ＰＯＩのＩＤ、名称、種別、関連ＰＯＩおよびタイムテーブルなどから構成される。
【００２６】
ＰＯＩの種別は、当該ＰＯＩが停留所であるか、駅であるかを示し、またどの事業者のバスや電車が運行されるかを含んでいてもよい。もちろん、１つのＰＯＩにおいて、複数事業者のバスや電車が運行されることもあり得る。
【００２７】
関連ＰＯＩとは、当該ＰＯＩと関連付けられたＰＯＩであり、例えば近辺にあるＰＯＩである。図２の例では、ＩＤがＢ０１であるＰＯＩ（つまり「Ａ駅東口」停留所）は、ＩＤがＴ０１であるＰＯＩ（つまり「Ａ駅」）と関連付けられている。典型的には、停留所と、その最寄駅（周辺駅）とが関連付けられる。
【００２８】
タイムテーブルは、いわゆる時刻表であってもよく、当該ＰＯＩにおけるバスや電車の発時刻および／または着時刻を示している。
【００２９】
なお、記憶部２２は、上述した交通ネットワーク情報およびＰＯＩ情報を記憶していればよく、これらの情報が１つのデータベース上に含まれていてもよいし、３以上のデータベース上に分散していてもよい。
【００３０】
図１に戻り、制御部２３は、情報受信部２３１、経路情報取得部２３２と、タイムテーブル情報取得部２３３と、出力情報生成部２３４と、情報送信部２３５とを有する。これら各部は、サーバ２のプロセッサ（不図示）が所定のプログラムを実行することによって実現されてもよいし、ハードウェアで実装されてもよい。
【００３１】
情報受信部２３１は、ネットワーク３および通信部２１を介して、探索条件などの情報を端末装置１から受信する。
【００３２】
経路情報取得部２３２は、探索条件および交通ネットワーク情報に基づく経路探索を行って、出発地から目的地までの経路を示す経路情報を取得する。経路情報は、出発地から目的地までの移動手段、移動時間、出発時刻、到着時刻、料金などを含む。
タイムテーブル情報取得部２３３は目的地に関連するタイムテーブルを示すタイムテーブル情報を取得する。本実施形態では、目的地がＰＯＩ情報データベース２２２に登録されたいずれかのＰＯＩであり、タイムテーブル情報取得部２３３が、同ＰＯＩ情報データベース２２２を参照し、目的地であるＰＯＩの関連ＰＯＩのタイムテーブルを取得する例を主に示す。
【００３３】
ただし、「目的地に関連するタイムテーブル」とは、目的地そのもののタイムテーブルでもよいし、目的地の近傍のＰＯＩのタイムテーブルでもよく、好ましくは、ユーザが目的地に到着した後に利用する可能性があるＰＯＩのタイムテーブルである。目的地の近傍のＰＯＩは、例えば目的地に対する周辺検索や、目的地の名称に対するキーワード検索により特定してもよい。
出力情報生成部２３４は、経路情報取得部２３２により取得された経路情報と、タイムテーブル情報取得部２３３により取得されたタイムテーブル情報とを含む出力情報を生成する。以下では出力部１３がディスプレイであることを想定し、出力情報を表示情報とも呼ぶ。
【００３４】
情報送信部２３５、通信部２１およびネットワーク３を介して、表示情報などの情報を端末装置１に送信する。
【００３５】
図３は、情報処理システムの処理動作を示すフローチャートである。
まず、端末装置１の探索条件設定部１４１が探索条件を設定する。この探索条件は情報送信部１４２によってサーバ２に送信される（ステップＳ１）。探索条件における目的地は停留所であるとする。
【００３６】
サーバ２は探索条件を受信する。サーバ２の経路情報取得部２３２は、この探索条件に基づいて出発地から目的地までの経路探索を行い、目的地までの経路を示す経路情報を取得する（ステップＳ１１）。本例では、目的地である停留所までバスで移動する経路が得られる。経路探索において、バスなどの交通手段が使用される場合、交通ネットワーク情報データベース２２１の時刻表に基づいて到着時刻を定めてもよいし、時刻表に加えて遅延情報や渋滞情報も考慮して、より現実的な到着時刻を推定してもよい。
【００３７】
続いて、タイムテーブル情報取得部２３３は、ＰＯＩ情報データベース２２２を参照し、目的地である停留所に関連するＰＯＩのタイムテーブルを示すタイムテーブル情報を取得する（ステップＳ１２）。例えば、目的地が図２における「Ａ駅東口」停留所である場合、関連するＰＯＩは「Ａ駅」である。そこで、タイムテーブル情報取得部２３３はＡ駅のタイムテーブルを取得する。
【００３８】
図２の例では、Ａ駅のタイムテーブルとして、Ｓ社路線の時刻表ｓｔ１と、Ｐ社路線の時刻表ｐｔ１とがある。この場合、タイムテーブル情報取得部２３３がその両方を取得してもよいし、一方のみを取得してもよい。一方のみとする場合、目的地までの移動に用いられる交通手段の事業者を考慮してもよい。例えば、経路情報において、目的地までＳ社のバスで移動することが示される場合、タイムテーブル情報取得部２３３はＳ社路線の時刻表ｓｔ１を取得してもよい。あるいは、時刻表ｓｔ１，ｐｔ２のうち、ユーザによる使用頻度が高い路線の時刻表を取得してもよいし、上り方面の時刻表を取得するようにしてもよい。両方を取得する場合には２つの時刻表にそれぞれ優先度を定めてもよく、本例ではＳ社路線の時刻表ｓｔ１の優先度を高くするなど事業者ごとに優先度を定めてもよいし、ユーザによる使用頻度が高い路線の時刻表や上り方面の時刻表の優先度を高くしてもよい。
【００３９】
また、タイムテーブル情報取得部２３３は、タイムテーブルの全体（始発から最終まで）を取得してもよいし、目的地の到着時刻（例えば経路情報における目的地の到着時刻であってもよいし、探索条件にて設定された目的地の到着時刻であってもよい）を考慮するなどにより、タイムテーブルの一部を取得してもよい。例えば、目的地の到着時刻以降のタイムテーブルのみを取得してもよい。あるいは、目的地の到着時刻より実際には早く到着する可能性を考慮して、到着時刻より所定時間前以降のタイムテーブルのみを取得してもよい。また、到着時刻に、目的地から関連ＰＯＩまでの所要時間（上述の例では、「Ａ駅東口」停留所から「Ａ駅」までの所要時間）を加えた時刻以降のタイムテーブルを取得してもよい。
【００４０】
さらに、タイムテーブル情報取得部２３３は、目的地である「Ａ駅東口」停留所そのものの時刻表を、関連するＰＯＩのタイムテーブルとして取得してもよい。「Ａ駅東口」停留所で乗換が可能な場合に特に有用であり、この場合、「Ａ駅東口」停留所までのバス路線とは異なるバス路線の時刻表を取得すればよい。
【００４１】
このようにして取得されたタイムテーブル情報および経路情報を表示するための表示情報を出力情報生成部２３４が生成し、この表示情報は情報送信部２３５によって端末装置１に送信される（ステップＳ１３）。
【００４２】
端末装置１は表示情報を受信し、出力制御部１４４は、表示情報における経路情報およびタイムテーブル情報に基づいて、経路およびタイムテーブルの両方を含む画面を出力部１３に表示させる（ステップＳ２）。
【００４３】
図４は、出力部１３に表示される画面の第１例を示す図である。同図の上側が経路であり、具体的には、出発地であるＹ停留所から「Ａ駅東口」停留所までＳ社のバスで移動することを示している。同図の下側がタイムテーブル（時刻表）であり、具体的にはＡ停留所と関連する「Ａ駅」の時刻表を示している。このように、経路と、目的地に関連するタイムテーブルとが同一画面に表示される。
【００４４】
同図に示すように、到着時刻が１４時１０分である場合、望ましくは、１４時１０分以降に発車する列車の時刻表のみを表示し、さらに望ましくは、「Ａ駅東口」停留所から「Ａ駅」までの所要時間７分を加えた１４時１７分以降に発車する列車の時刻表のみを表示する。ユーザの便宜のため、「Ａ駅東口」停留所から「Ａ駅」までの所要時間に加え、経路そのものなどの経路情報を表示してもよい。
【００４５】
なお、同図上側の経路と、「時刻表」アイコンのみをある画面に表示し、「時刻表」アイコンが選択された場合に、時刻表を別画面に表示することも考えられる。しかしながら、そのようにすると、経路と時刻表との関係が分かりづらくなる。経路における出発地、経由駅、目的地のいずれにも駅がある場合、いずれの時刻表であるかが分からなくなり、場合によっては、ユーザが経路画面と時刻表画面とを行き来しなければならなくなることもある。
【００４６】
これに対し、本実施形態ではそのようなことはなく、図４に示すように、経路と時刻表とを同一画面に表示するため、表示されている時刻表が「Ａ駅」の時刻表であることが一見して分かる。
【００４７】
図５は、出力部１３に表示される画面の第２例を示す図である。経路探索条件は図４の場合と同じであるが、遅延情報を考慮すると到着時刻が１４時２０分と見込まれている。この場合、「Ａ駅」の時刻表として、見込まれる到着時刻と、Ａ駅までの所要時間を考慮し、１４時２７分以降の時刻表のみを表示するのが望ましい。
【００４８】
これにより、バスなどの交通手段が遅れている場合でも、正確にその後にＡ駅で利用可能な電車を把握できる。
【００４９】
なお、到着時刻（あるいは到着時刻に所要時間を加えた時刻）以降の時刻表のみを表示する場合、到着時刻とは図４に示すように経路情報におけるものであってもよいし、図５に示すように実際に見込まれる到着時刻であってもよいし、到着時刻に代えて現在時刻やユーザが任意に設定した時刻を用いてもよい。
【００５０】
なお、上述の説明では、タイムテーブル情報取得部２３３が目的地の到着時刻を考慮してタイムテーブルの一部を取得することとした。しかしながら、実装上は、タイムテーブル情報取得部２３３がタイムテーブルの全体を取得し、出力制御部１４４が表示を行う際に、到着時刻を考慮してタイムテーブルの一部のみを表示するようにしてもよい。
【００５１】
その他、ステップＳ１２にてタイムテーブル情報取得部２３３が複数の時刻表を優先度を定めて取得した場合、優先度（例えば事業者）を考慮した態様で表示を行ってもよい。例えば、Ｐ社路線の時刻表ｐｔ１およびＳ社路線の時刻表ｓｔ１が取得されており、経路情報にＳ社バスが含まれるために時刻表ｓｔ１の優先度が高い場合、Ｓ社の時刻表ｓｔ１のみを表示したり、時刻表ｓｔ１を上に表示して時刻表ｐｔ１を下に表示したりしてもよい。
【００５２】
このように、第１の実施形態では、経路と、経路における目的地と関連するタイムテーブルとを同一画面に表示する。例えば、バスで所定の停留所まで移動する経路と、当該停留所から利用可能な駅の時刻表とを同一画面に表示する。そのため、経路とタイムテーブルとの関係が明確になり、視認性が向上する。また、経路探索の後にユーザ操作不要でタイムテーブルが表示されるため、ユーザの手間も省ける。よって、利便性が高いタイムテーブル表示が可能となる。
【００５３】
なお、出力部１３がスピーカである場合、出力制御部１４４の処理によって、出力部１３が、経路と、経路における目的地と関連するタイムテーブルとを連続して音声案内するようにしてもよい。例えば、経路における目的地の到着時間を音声案内し、ユーザからの指示を受けることなく、引き続いて、関連するタイムテーブルを音声案内してもよい。
【００５４】
（第２の実施形態）
上述した第１の実施形態は、目的地が停留所であり、その関連ＰＯＩが駅や停留所である例を述べた。次に説明する第２に実施形態は、目的地に関連するＰＯＩが他の施設であってもよいことを述べる。
【００５５】
図６は、第２の実施形態におけるＰＯＩ情報データベース２２２の構造の一例を示す図である。図示のように、停留所や駅などに限られず、施設など任意のＰＯＩに対して、やはり任意のＰＯＩと関連付けられる。具体例として、関連ＰＯＩは、水族館（シーワールド）、劇場、映画館、体育館などである。「Ｓ劇場」のように大劇場、中劇場および小劇場が含まれていてもよく、その場合、各劇場でのタイムテーブルが登録されている。
【００５６】
このようなＰＯＩ情報データベース２２２を用意しておくことで、目的地を停留所や駅に限らず任意のＰＯＩとする経路探索にも対応できる。
また、経路とタイムテーブルとを含む画面にも種々の変形が考えられる。
【００５７】
図７は、出力部１３に表示される画面の第３例を示す図である。同図は、目的地が図６における「Ｋシーワールド前」停留所である経路と、「Ｋシーワールド」のタイムテーブルとが同一画面に表示されている。図示のように、公演時間と、出演・公演場所との関係を表形式で示してもよい。この場合も目的地である「Ｋシーワールド前」停留所の到着時刻以降のタイムテーブルのみを示すようにしてもよい。
【００５８】
図８および図９は、出力部１３に表示される画面の第４例を示す図である。同図は、目的地が図６における「Ｓ劇場前」停留所である経路と、「Ｓ劇場」のタイムテーブルとが同一画面に表示されている。図８に示すように、タイムテーブルが複数ある場合、初めは「大劇場」、「中劇場」および「小劇場」の項目をリスト表示とする。そして、ユーザによってある項目（ここでは、「大劇場」とする）が選択された場合、そのタイムテーブルを表示するようにしてもよい。
【００５９】
なお、図６において、目的地に対して複数の関連ＰＯＩがある場合、タイムテーブル情報取得部２３３は、例えば利用頻度が高いＰＯＩや人気があるＰＯＩを優先的に選択してもよいし、経路探索を行ったユーザの利用履歴や検索履歴を考慮してＰＯＩを選択してもよい。
【００６０】
このように、第２の実施形態では、より柔軟に目的地に関連するタイムテーブルを表示でき、さらにユーザの利便性が向上する。
【００６１】
なお、上述した各実施形態では、経路探索を行って経路情報を生成する例を説明した。しかしながら、必ずしも経路探索を行う必要はなく、経路情報取得部２３２は、例えば過去に経路探索を行って得られた経路情報（履歴情報）や予め登録した任意の経路情報を取得してもよいし、その他外部から取得してもよい。この場合、タイムテーブル情報取得部２３３は、取得した経路情報に含まれる目的地と、ＰＯＩ情報データベース２２２とを参照し、目的地に関連するタイムテーブル情報を取得すればよい。
【００６２】
経路情報取得部２３２は、取得する経路情報が出発地や目的地などの要素ごとに整理されている場合には目的地を容易に把握できるし、経路情報がテキスト情報であっても文書解析を行って目的地を把握できる。いずれにしても、経路情報取得部２３２は取得する経路情報のフォーマットに応じて目的地を把握すればよい。
【００６３】
なお、図１の情報処理システムにおいて、端末装置１内の一部をサーバ２内に設けてもよいし、サーバ２内の一部を端末装置１内に設けてもよいし、端末装置１およびサーバ２の機能を一体化したスタンドアローンの装置としてもよい。また、情報処理システムの少なくとも一部を１または２以上のコンピュータによって構成される情報処理システムとしてもよい。さらに、サーバ２内の各部を、通信可能に接続された複数の情報処理装置に分散してもよい。
【００６４】
上述した実施形態で説明した情報処理システムの少なくとも一部は、ハードウェアで構成してもよいし、ソフトウェアで構成してもよい。ソフトウェアで構成する場合には、情報処理システムの少なくとも一部の機能を実現するプログラムを記録媒体に収納し、コンピュータに読み込ませて実行させてもよい。記録媒体は、磁気ディスクや光ディスクなどの着脱可能なものに限定されず、ハードディスク装置やメモリなどの固定型の記録媒体でもよい。
【００６５】
また、情報処理システムの少なくとも一部の機能を実現するプログラムを、インターネットなどの通信回線（無線通信も含む）を介して頒布してもよい。さらに、同プログラムを暗号化したり、変調をかけたり、圧縮した状態で、インターネットなどの有線回線や無線回線を介して、あるいは記録媒体に収納して頒布してもよい。
【００６６】
さらに、通信可能に接続された１または複数の情報処理装置によって情報処理システムを機能させてもよい。複数の情報処理装置を用いる場合、情報処理装置のうちの１以上をコンピュータとし、当該コンピュータが所定のプログラムを実行することにより情報処理システムの少なくとも１つの手段としての機能が実現されてもよい。
【００６７】
上記の記載に基づいて、当業者であれば、本発明の追加の効果や種々の変形例を想到できるかもしれないが、本発明の態様は、上述した個々の実施形態には限定されるものではない。特許請求の範囲に規定された内容およびその均等物から導き出される本発明の概念的な思想と趣旨を逸脱しない範囲で種々の追加、変更および部分的削除が可能である。
【符号の説明】
【００６８】
１  端末装置
１１  通信部
１２  操作入力部
１３  出力部
１４  制御部
１４１  探索条件設定部
１４２  情報送信部
１４３  情報受信部
１４４  出力制御部
２  サーバ
２１  通信部
２２  記憶部
２２１  交通ネットワーク情報データベース
２２２  ＰＯＩ情報データベース
２３  制御部
２３１  情報受信部
２３２  経路情報取得部
２３３  タイムテーブル情報取得部
２３４  出力情報生成部
２３５  情報送信部
【図１】
2017110911.tif 000003
【図２】
2017110911.tif 000004
【図３】
2017110911.tif 000005
【図４】
2017110911.tif 000006
【図５】
2017110911.tif 000007
【図６】
2017110911.tif 000008
【図７】
2017110911.tif 000009
【図８】
2017110911.tif 000010
【図９】
2017110911.tif 000011